(57)【要約】【課題】アパート、マンション等の高層集合住宅において、トイレ、シンク、浴槽等の衛生機器と接続した排水横引き管と排水立管との接続作業が簡単に行え、しかも配管接続後は管内を流れる汚物等が堆積することなくスムースに排出できる管継手を提供する。【解決手段】排水横引き管１の端部が挿入接続される継手部３１と、排水立管１の管壁外面に接続されるサドル部３２とからなり、前記継手部３１には排水横引き管１の外径よりも若干大きい内径を有する受口３１１が形成されると共に該受口３１１の先端側の内面にはゴムリング３４が装着されている。受口３１１の奥側には異径部３１２を介して排水横引き管１の内径とほぼ等しい内径を有する接続部３１３が形成されており、前記受口３１１と異径部３１２と接続部３１３の内周下面が面一となった状態で接続している。【選択図】　　図１
2004143781.tif 000002
【特許請求の範囲】
【請求項１】
排水機器と接続した排水横引き管の端部と排水立管とを接続する管継手であって、排水横引き管の端部が挿入接続される継手部と、排水立管の管壁外面に接続されるサドル部とからなり、前記継手部には排水横引き管の外径よりも若干大きい内径を有する受口が形成されると共に該受口の先端側の内面にはゴムリングが装着されており、該受口の奥側には異径部を介して排水横引き管の内径とほぼ等しい内径を有する接続部が形成されており、前記受口と異径部と接続部との内周下面が面一となった状態で接続していることを特徴とする管継手。
【発明の詳細な説明】
【０００１】
【発明の属する技術分野】
本発明は、アパート、マンション等の高層集合住宅において、トイレ、シンク、浴槽等の衛生機器と接続した排水横引き管と排水立管との接続作業が簡単に行え、しかも配管接続後は管内を流れる汚物等が堆積することなくスムースに排出できる管継手に関する。
【０００２】
【従来の技術】
一般にアパート、マンション等の高層集合住宅では、最上階から下層階まで垂直に連通する排水立管が配管されており、この排水立管に各階に設置されたトイレ、シンク、浴槽等の衛生機器が排水横引き管を介して接続されている。また、近年住環境の多様化に対応してレイアウトの変更、リニューアル等が行われており、これに伴ってトイレ、洗濯機等の各種排水機器の設置場所を変更する場合にも、各種衛生機器と排水立管とが排水横引き管を介して接続されている。
【０００３】
通常、高層集合住宅での下水配管は、図３に断面図で示した如くコンクリートスラブ７と床８との間に空間を設け、この空間に排水横引き管１を敷設すると共に、該排水横引き管１の一端部を浴槽、洗濯パン等の各種衛生機器と接続し、排水横引き管１の他端部を分岐サドル継手５を介して排水立管２に接続している。前記分岐サドル継手５としては、下記特許文献１に記載されている如く、拡径した受口５１の開口端部にゴムリング５３が装着され、該受口５１の他端側にサドル部５２が設けられたものが使用されており、拡径受口５１に挿入した排水横引き管１の端部がゴムリング５３を介して伸縮かつ屈曲自在に接続されると共に、分岐サドル継手５のサドル部５２が排水立管３の管壁外面にバンド６で締め付け固定される。
【０００４】
【特許文献１】
実開昭５５−１３５８８７号（第１図）
【０００５】
【発明が解決しようとする課題】
ところが前記特許文献１に示された分岐サドル継手は、拡径受口５１の奥側が拡径して該受口５１に挿入した排水横引き管１の接続方向が調整できるようになっているため、受口奥部と排水横引き管１の先端部との間に凹部ができ、この凹部に管内を流れる汚物等が堆積したり、引っ掛かって排水がスムースに排出されないことがあった。
【０００６】
本発明はかかる課題を解決したものであって、排水横引き管と排水立管との接続作業が簡単に行え、また配管施工後に汚物等が堆積することなく排水がスムースに排出される管継手を提供するものである。
【０００７】
【課題を解決するための手段】
本発明は、排水機器と接続した排水横引き管の端部と排水立管とを接続する管継手であって、排水横引き管の端部が挿入接続される継手部と、排水立管の管壁外面に接続されるサドル部とからなり、前記継手部には排水横引き管の外径よりも若干大きい内径を有する受口が形成されると共に該受口の先端側の内面にはゴムリングが装着されており、該受口の奥側には異径部を介して排水横引き管の内径とほぼ等しい内径を有する接続部が形成されており、前記受口と異径部と接続部との内周下面が面一となった状態で接続していることを特徴とする。
【０００８】
【発明の実施の形態】
以下、本発明の実施の形態を図面にて詳細に説明する。図１は本発明の管継手による排水横引き管と排水立管との接続状態を示す部分切断断面図であって、図中の符号１は排水横引き管、２は排水立管、３は管継手である。
【０００９】
本発明の管継手３は塩ビ樹脂、ポリエチレン樹脂等の熱可塑性樹脂からなるものであって、排水横引き管１の端部が挿入接続される継手部３１と、排水立管２の管壁外面に接続されるサドル部３２とからなっている。継手部３１には排水横引き管１の外径よりも若干大きい内径を有する受口３１１が形成されると共に、該受口３１１の先端側の内面に形成された環状溝にゴムリング３４が装着されている。受口３１１の奥側には異径部３１２を介して排水横引き管１の内径とほぼ等しい内径を有する短管部３１３ａが形成されており、前記受口３１１と異径部３１２と短管部３１３ａの内周下面が面一となった状態で接続している。
【００１０】
また、前記サドル部３２は排水立管２の管壁外面の曲率とほぼ等しい曲率で湾曲しており、この湾曲した凹曲面が排水立管２の管壁外面と緊密に接続されるようになっている。そして、サドル部３２の凸面側には短管状の接続部３１３が突出しており、該接続部３１３の先端部に設けられたスリーブ受口３１３ｂに前記継手部３１の短管部３１３ａが挿入接続され、受口３１１と接続部３１３の内周下面とが面一となった状態で接続している。
【００１１】
次に、この管継手３を用いて排水横引き管１と排水立管２とを接続する作業手順を説明する。まず、排水横引き管１の一端部をトイレ、シンク、浴槽等の衛生機器に接続し、該排水横引き管１の他端部を排水立管２の近傍位置まで延設する。また、この排水横引き管１が接続される排水立管２の管壁適所に接続孔２１を穿設しておく。そこで、排水横引き管１の端部を管継手３の受口３１１に挿入すると共に、接着剤が塗布されているサドル部３２の凹曲面を排水立管２の管壁外面に押し付け、サドル部３２の外周側に巻き付けたバンド４を締め付けて固定する。かくして、排水横引き管１と排水立管２とが本発明の管継手３を介して緊密に接続される。
【００１２】
図２は本発明の他の実施例を示す管継手３の断面図であって、図１に示した管継手３の継手部３１とサドル部３２とを一体成形したものである。この管継手３は継手部３１の受口３１１とサドル部３２から突出した接続部３１３とが異径部３１２を介して一体的に接続しており、前記受口３１１と異径部３１２と接続部３１３の内周下面が面一となった状態で接続している。この実施例の管継手３の場合にも、前記実施例と同様に排水横引き管１と排水立管２とが狭い空間部でも簡単に接続できると共に、受口３１１の奥部と排水横引き管１の先端部との間に凹部ができないため、管内を流れる汚物等が滞留することもなくスムースに排出される。
【００１３】
【発明の効果】
以上詳述した如く、本発明の管継手によれば、アパート、マンション等の高層集合住宅において、トイレ、シンク、浴槽等の衛生機器と接続した排水横引き管を排水立管と簡単に接続することができる。また、配管接続後は排水横引き管の先端部と受口奥部との間に凹部ができないため、排水横引き管から排出された汚物等が堆積したり、引っ掛かって滞留することもなく、スムースに排水立管に排出することができる。
【図面の簡単な説明】
【図１】図１は本発明の管継手による排水横引き管と排水立管との接続状態を示す部分切断断面図である。
【図２】図２は本発明の他の実施例を示す管継手の断面図である。
【図３】図３は従来の管継手による排水横引き管と排水立管との接続状態を示す断面図である。
【符号の説明】
１　　排水横引き管
２　　排水立管
３　　管継手
３１　　継手部
３２　　サドル部
【図１】
2004143781.tif 000003
【図２】
2004143781.tif 000004
【図３】
2004143781.tif 000005